(57)【要約】  フェイスマスクのスタックを包含し、スタックから個々のフェイスマスクを分配するための、システム。このシステムは、容器と、折り畳まれたフェイスマスクのスタックとを含む。容器は、フラップを画定する切断線を形成する底面パネルを有し、このフラップは、底面パネルに開口部を作り出すために開いた状態に移行可能である。スタックは、容器内に配設され、それぞれのフェイスマスクは、中央部と、対向する第１及び第２の横方向端部とを形成する弾性シートを含む。各フェイスマスクは、第１の横方向端部の一部分が中央部に沿って第１の折線から延在するように折り畳まれる。分配モードにおいて、最下位の折り畳まれたフェイスマスクの第１の横方向端部は、重力によって、開口部を通じて自然に下垂する。【選択図】図１
2015528423.tif 000002
【特許請求の範囲】
【請求項１】
複数のフェイスマスクのスタックを包含し、前記スタックから個々のフェイスマスクを分配するためのシステムであって、内容積を画定し、上面パネルと底面パネルを含む、容器であって、
前記底面パネルはフラップの周辺を画定する切断線を形成し、前記フラップは、前記フラップが前記底面パネルの残りの部分と接して連続している初期の閉じた状態から、前記底面パネルに前記内容積への開口部を作り出すために、前記フラップが前記底面パネルの前記残りの部分から少なくとも部分的に取り外される開いた状態に、移行可能である、容器と、
前記内容積に配設された複数の折り畳まれたフェイスマスクのスタックであって、前記折り畳まれたフェイスマスクのそれぞれが、中央部と、前記中央部の両側からそれぞれ延在する対向する第１及び第２の横方向端部とを形成している弾性シートを含み、かつ、前記対応する第１の横方向端部の少なくとも一部分が、その対応する中央部の第１面に沿って第１の折線から延在するように折り畳まれる、スタックと、を備えており、
前記スタックは前記底面パネルに近接して位置づけられた最下位の折り畳まれたフェイスマスクを含み、前記最下位の折り畳まれたフェイスマスクの第１の横方向端部は前記底面パネルに面している、システムであって、
更に、分配モードを実現し、前記分配モードにおいて、
前記上面パネルは前記底面パネルの上方にあり、
前記フラップは前記開いた状態であり、
前記最下位の折り畳まれたフェイスマスクの第１の横方向端部の少なくとも一領域は、重力によって前記開口部を通じて下垂し、
前記最下位の折り畳まれたフェイスマスクの前記中央部は前記内容積内に保持される、システム。
【請求項２】
前記分配モードが、前記底面の壁に当接している前記最下位の折り畳まれたフェイスマスクを含む、請求項１に記載のシステム。
【請求項３】
前記分配モードが、前記内容積内に保持されている前記最下位の折り畳まれたフェイスマスクの前記第１の横方向端部の少なくとも一部を含む、請求項１に記載のシステム。
【請求項４】
前記分配モードが、前記底面パネルに当接している前記最下位の折り畳まれたフェイスマスクの前記第１の折線を含む、請求項１に記載のシステム。
【請求項５】
前記折り畳まれたフェイスマスクのそれぞれが、前記第１面の反対側の、前記対応する中央部の第２面に沿って第２の折線から延在する前記対応する第２の横方向端部の少なくとも一部分を含み、更に、前記分配モードが、前記底面パネルに当接している前記最下位の折り畳まれたフェイスマスクの前記第２の折線を更に含む、請求項４に記載のシステム。
【請求項６】
前記分配モードが、前記開口部の幅及び長さの少なくとも一方の全部にわたって延在する前記最下位の折り畳まれたフェイスマスクを含む、請求項１に記載のシステム。
【請求項７】
前記分配モードが、そのカートンから前記最下位の折り畳まれたフェイスマスクを取り出すために使用者が前記内容積の外部の場所から把持するために利用可能な前記最下位の折り畳まれたフェイスマスクの前記第１の横方向端部の領域を含む、請求項１に記載のシステム。
【請求項８】
前記切断線が穿孔線である、請求項１に記載のシステム。
【請求項９】
前記開いた状態において、前記フラップが前記底面パネルの前記残りの部分に接続されたまま維持されるように、前記切断線が不連続である、請求項１に記載のシステム。
【請求項１０】
前記フラップが前記開いた状態において前記底面パネルの前記残りの部分と接続線に沿って完全に接続されており、前記フラップが前記接続線で前記底面パネルの前記残りの部分に対して旋回可能である、請求項９に記載のシステム。
【請求項１１】
前記フラップが前記接続線の反対側の先端を画定しており、更に、前記開いた状態が、前記底面パネルの前記残りの部分から離れる方向に旋回した前記先端を含み、かつまた更に、前記フラップが、前記分配モードにおいて少なくとも部分的には重力によって、前記開いた状態を自己保持する、請求項１０に記載のシステム。
【請求項１２】
前記開口部が、最大幅及び最大長さを画定する形状を有し、前記折り畳まれたフェイスマスクのそれぞれが、最大幅及び最大長さを画定する形状を有し、前記折り畳まれたフェイスマスクが、前記折り畳まれたフェイスマスクの幅方向が前記開口部の幅方向と整列するように前記内容積内に配置されており、かつまた更に、前記開口部と前記折り畳まれたフェイスマスクのそれぞれとの間の寸法関係が、
前記開口部の前記最大幅が前記折り畳まれたフェイスマスクのそれぞれの前記最大幅より小さいこと、及び
前記開口部の前記最大長さが前記折り畳まれたフェイスマスクの最大長さより小さいこと、のうちの少なくともいずれかを実現する、請求項１に記載のシステム。
【請求項１３】
前記折り畳まれたフェイスマスクのそれぞれが、前記第１面の反対側の、前記対応する中央部の第２面に沿って第２の折線から延在する前記対応する第２の横方向端部の少なくとも一部分を含み、かつまた更に、前記折り畳まれたフェイスマスクの前記最大幅が、前記対応する第１と第２の折線の間の距離によって画定される、請求項１２に記載のシステム。
【請求項１４】
前記折り畳まれたフェイスマスクのそれぞれの前記第１の横方向端部の側縁が、前記対応する第１と第２の折線の間の前記対応する中央部に沿って終端する、請求項１３に記載のシステム。
【請求項１５】
前記底面パネルが、前記容器の最大幅及び最大長さを画定し、前記容器の前記最大幅は、前記開口部の前記最大幅の方向に配置され、更に、前記容器の前記最大幅は、前記折り畳まれたフェイスマスクの前記最大幅の１５０％を超えない、請求項１２に記載のシステム。
【請求項１６】
前記フラップが、前記開いた状態において接続線に沿って前記底面パネルの前記残りの部分と接続しており、更に、前記開口部が、前記接続線により画定される周辺と、前記接続線の反対側の先縁と、対向する側縁とを有し、また更に、前記開口部の前記最大幅が前記先縁と前記接続線との間の距離により画定される、請求項１２に記載のシステム。
【請求項１７】
前記対向する側縁が、前記接続線と前記先縁との間の延長部において曲線状である、請求項１６に記載のシステム。
【請求項１８】
壁に前記容器を掛けるための保持装置を更に備える、請求項１に記載のシステム。
【請求項１９】
容器内に複数のフェイスマスクを包装する方法であって、前記フェイスマスクのそれぞれは、中央部と、前記中央部の両側からそれぞれ延在する対向する第１及び第２の横方向端部と、を形成する弾性シートを含んでおり、
前記対応する第１の横方向端部の少なくとも一部分が、前記対応する中央開口部の第１面に沿って第１の折線から延在するように、かつ、前記対応する第２の横方向端部の少なくとも一部分が、前記第１面の反対側の前記対応する中央部分の第２面に沿って第２の折線から延在するように、前記フェイスマスクのそれぞれを折り畳む工程と、
１つのフェイスマスクの上に次のフェイスマスクが積み重ねられているスタックの最下位の折り畳まれたフェイスマスクが前記カートンの底面パネルに当接するように連続して重ねられたフェイスマスクを含む容器の内容積内に前記複数の折り畳まれたフェイスマスクを配設する工程であって、
前記底面パネルは、前記底面パネルの残りの部分から少なくとも部分的に取り外すことができるフラップの周辺を画定する切断線を形成し、
また更に、前記底面パネルがその上面パネルの下方になるように前記容器を配置し、前記内容積への開口部が前記底面パネルに形成されるように前記フラップを開いた状態に移行する際に、前記最下位の折り畳まれたフェイスマスクの前記第１の横方向端部の領域が重力によって前記開口部を通じて下垂する一方で、前記最下位の折り畳まれたフェイスマスクの前記残りの部分は前記内容積内に保持される、工程と、を含む、方法。
【請求項２０】
前記最下位の折り畳まれたフェイスマスクが、前記対応する第１及び第２の折線が前記底面パネルに当接するように前記容器内に配置される、請求項１９に記載の方法。
【請求項２１】
複数のフェイスマスクのスタックを包含し、前記スタックから個々のフェイスマスクを分配するための、システムであって、
ディスペンサーアセンブリと、複数の折り畳まれたフェイスマスクのスタックと、を備えており、
前記ディスペンサーアセンブリが、
内容積を画定する、折線で接続された第１及び第２のパネルを含む、容器であって、
切断線が前記第１及び第２のパネルを横切って延在し、フラップの周辺を画定しており、前記フラップは、閉じた状態から、前記フラップが前記第１及び第２のパネルの残りの部分から少なくとも部分的に取り外されて前記内容積への開口部を前記容器に作り出す開いた状態へと移行可能である、容器と、
前記内容積内に完全に配置される寸法及び形状を有するコアと、
を備え、
前記折り畳まれたフェイスマスクのそれぞれが、中央部と、前記中央部の両側からそれぞれ延在する対向する第１及び第２の横方向端部とを形成している弾性シートを含み、かつ、前記対応する第１の横方向端部の少なくとも一部分が、前記対応する中央部の第１面に沿って第１の折線から延在するように折り畳まれており、
前記スタックは、前記コアの周囲を包み、前記容器が前記開いた状態に移行したときに前記開口部を通じて分配するために、前記フラップに面する最上位の折り畳まれたフェイスマスクの第１の横方向端部を含む前記内容積内に配設されている、システム。
【発明の詳細な説明】
【背景技術】
【０００１】
保護フェイスマスクは、多くの分野において有用である。ヘルスケア分野において、フェイスマスクは、大気中の病原体から患者及びヘルスケア提供者の両方を保護し、体液又は他の液体に宿る病原体の移動を防止するのに有用であり得る。保護フェイスマスクの着用は、多くの工業的環境においても有用であり得る。
【０００２】
多くの保護フェイスマスクは、使用者の鼻及び口を覆う前側パネルと、この前側パネルを使用者の頭部にしっかりと取り付けることができる固定装置（例えば手動の結合ストラップ）とを有するように構成される。しばしば、前側パネル及び結合ストラップは、別々のプロセスで別々に作製された後、（例えば、接着剤、ステープル、又は他の機械式ファスナーを使用して）相互に取り付けられる。フェイスマスクの前側パネルと結合ストラップとの間の取り付け点が、例えば、結合ストラップを引っ張ることにより壊れる場合がある。
【０００３】
フェイスマスクは、ディスペンサー内で実現され、又は包装されることがある。例えば、フェイスマスクを重ね合わせたスタックをカートン又は容器内で実現し、そこから、結合ストラップを把持することができる。使用者は、結合ストラップを把持し、引き下げることにより、結合ストラップが取り付けられているフェイスマスクをカートンから取り出すことができる。その後、次に分配される新しいフェイスマスクが、その前に既に分配されたフェイスマスクのあった場所に落ち、次に分配されるフェイスマスクの結合ストラップがカートンから突出することになる。これらのタイプの分配方式は、使用者がゴムバンド又は結合ストラップを引っ張ったときに複数のフェイスマスクが分配されることがよくあるという欠点を有する。また、そのような方式では、次に分配されるフェイスマスクが、その前のフェイスマスクの取り出しの際に分配位置に位置づけられないことがある。その場合、使用者は、取り出すべきフェイスマスクを把持するためにカートンの中に手を伸ばす必要がある。これが原因で、使用者により把持され、引っ張られた際に、フェイスマスクを損傷する場合がある。また、上述のように、結合ストラップを引っ張ることでフェイスマスクを破壊することはよくある。
【０００４】
いわゆる一体式フェイスマスクで採用されているディスペンサー包装形式にもまた、問題がある。このタイプのフェイスマスクでは、前部パネルは、着用者にフェイスマスクを取り付けるために使用される開口部を本来は形成する側部パネルと一体形成される。前部パネル及び側部パネルは、材料のウェブから打ち抜かれ、同時に形成され得る。これらのマスクの一部は、着用者の顔へのより良い適合を実現するように伸縮性である。一体式フェイスマスクの比較的平坦かつ折り畳み可能な性質のために、いくつかの包装及び分配方式は、スタック内の隣り合わせのフェイスマスクが相互に折り込まれたフェイスマスクのスタックを形成して、そのスタックをカートンに包装する工程を伴う。相互に折り込まれている関係のために、カートンの開口部を通して最も外側のフェイスマスクが引っ張られる際に、次に分配されるフェイスマスクがその開口部を通して部分的に引っ張り出され、次の分配にすぐに利用できる。この方式は非常に実用的であるが、相互に折り込まれたフェイスマスクのスタックを形成するために、より複雑な製造方法を伴う場合がある。これら及び他の包装構成を用いると、次に分配されるフェイスマスクがカートンから常に同じように突出するとは限らないために、使用者を更に混乱させる可能性がある。
【発明の概要】
【発明が解決しようとする課題】
【０００５】
フェイスマスクの分配に伴うこれらの問題のために、フェイスマスクの改善された設計及び分配が望まれ得る。
【課題を解決するための手段】
【０００６】
本開示の原理にしたがったいくつかの態様は、フェイスマスクのスタックを包含するため及び個々のフェイスマスクをスタックから分配するためのシステムに関する。このシステムは、容器と、複数の折り畳まれたフェイスマスクのスタックとを含む。この容器は、内容積を画定し、かつ上面パネルと底面パネルとを含む。底面パネルは、底面パネルの残りの部分から少なくとも部分的に取り外すことができるフラップの周辺を画定する切断線を形成する。これに関して、フラップは、フラップが切断線に沿って底面パネルの残りの部分と連続している閉じた状態から、内容積内の底面パネルの開口部を作り出すようにフラップが底面パネルの残りの部分から少なくとも部分的に取り外される開いた状態へと移行可能である。折り畳まれたフェイスマスクのスタックは内容積内に配設され、フェイスマスクのそれぞれは、中央部と、中央部の両側からそれぞれ延出する対向する第１及び第２の横方向端部とを形成している弾性シートを含む。スタック内のフェイスマスクのそれぞれは、第１の横方向端部の少なくとも一部分が対応する中央部の第１面に沿って第１の折線から延在するように更に折り畳まれる。いくつかの実施形態では、フェイスマスクは、第２の横方向端部の少なくとも一部分が第１面の反対側の中央部の第２面に沿って第２の折線から延在するように更に折り畳まれる。いずれにせよ、スタックは、底面パネルに近接して位置づけられた最下位の折り畳まれたフェイスマスクを含む。最下位の折り畳まれたフェイスマスクの第１の横方向端部は、底面パネルに面する。このシステムの分配モードにおいて、上面パネルは底面パネルの上方にあり、フラップは開いた状態にある。最下位の折り畳まれたフェイスマスクの第１の横方向端部の少なくとも一領域は、重力によって開口部を通じて自然に下垂するが、最下位のフェイスマスクの中央部は、容器内に更に保持される。スタックの残りのフェイスマスクは、最下位のフェイスマスクにより開口部に対して支えられるので、同じく容器内に保持される。最下位のフェイスマスクの第１の横方向端部の露出された領域は、それを使用者が把持して最下位のフェイスマスクを容器から取り出すために容易に利用可能である。いったん取り出された後は、次に分配されるフェイスマスクの第１の横方向端部の一領域が重力によって開口部から下垂し、次の使用者が把持して分配するために容易に利用可能になる。
【０００７】
いくつかの実施形態では、分配モードは、容器の底面パネルに当接した最下位のフェイスマスクの第１及び第２の折線を含み、最下位のフェイスマスクは、容器の開口部の幅及び長さの少なくとも一方の全長にわたって延在する。また別の実施形態では、切断線は不連続であり、したがって、開いた状態において、フラップは接続線に沿って底面パネルの残りの部分と接続されたままであり、少なくとも部分的に重力によって、フラップは分配モードにおいて開いた状態を自己保持する。
【図面の簡単な説明】
【０００８】
【図１】本開示の原理にしたがったフェイスマスクの包装及び分配システムの分解図であり、一部が斜視図で示されている。
【図２】図１のシステムのフェイスマスクのスタック部で有用なフェイスマスクの平面図であり、これは、外側に面する側の平面図である。
【図３】図２のフェイスマスクの断面図である。
【図４Ａ】図１のシステムで有用な折り畳まれたフェイスマスクを生成するように図２のフェイスマスクを折り畳む工程の一実施形態を示す。
【図４Ｂ】図１のシステムで有用な折り畳まれたフェイスマスクを生成するように図２のフェイスマスクを折り畳む工程の一実施形態を示す。
【図４Ｃ】図１のシステムで有用な折り畳まれたフェイスマスクを生成するように図２のフェイスマスクを折り畳む工程の一実施形態を示す。
【図５】図４Ｃの折り畳まれたフェイスマスクの概略側面図である。
【図６Ａ】図１のフェイスマスクスタックの概略側面図である。
【図６Ｂ】図１のシステムで有用な別のフェイスマスクスタックの概略側面図である。
【図７Ａ】図１のシステムの容器部の底面図であり、閉じた状態の容器の底面パネルを図示している。
【図７Ｂ】図１の容器の底面図であり、図７Ａの底面パネルを開いた状態で図示している。
【図８Ａ】図１のシステムの概略断面図であり、閉じた状態の容器を図示している。
【図８Ｂ】図１のシステムの概略断面図であり、開いた状態の容器を図示している。
【図８Ｃ】開いた状態の容器を含む、図８Ｂの図に直交する９０度の角度から見た図１のシステムの概略断面図である。
【図９】図４Ｃの折り畳まれたフェイスマスクと図７Ａの底面パネルとの寸法関係を示す平面図である。
【図１０】図１のシステムの概略底面図であり、底面パネルの開口部に対する最下位の折り畳まれたフェイスマスクの関係を示す。
【図１１Ａ】個々のフェイスマスクを分配する工程における、図１のシステムの使用を示す概略断面図である。
【図１１Ｂ】個々のフェイスマスクを分配する工程における、図１のシステムの使用を示す概略断面図である。
【図１２】本開示の原理にしたがったフェイスマスクの包装及び分配のための別のシステムの概略分解図であり、一部が斜視図で示されている。
【図１３】図１２のシステムで有用な折り畳まれたフェイスマスクの平面図である。
【図１４】図１２のシステムで有用な折り畳まれたフェイスマスクのスタックの側面図である。
【図１５Ａ】閉じた状態の図１２のシステムの容器部分の概略上面図である。
【図１５Ｂ】開いた状態の図１５Ａの容器の概略上面図である。
【図１６】図１２のシステムの容器及びコア部の概略側面図である。
【図１７】閉じた状態の容器を含む、図１２のシステムの概略断面図である。
【図１８】個々のフェイスマスクの分配のために開いた状態の容器を含む、図１２のシステムの概略断面図である。
【発明を実施するための形態】
【０００９】
本開示の原理にしたがったフェイスマスクの包装及び分配システム２０の一実施形態を図１に示す。システム２０は、フェイスマスクスタック２２と容器２４とを含む。様々な構成要素の詳細を以下に記載する。一般には、フェイスマスクスタック２２は容器２４の内部に配設又は包装される。システム２０の分配モードにおいて、スタック２２の個々のフェイスマスクは容器２４の底面パネル２８の開口部２６から分配され得る。これに関して、システム２０は、容器２４が配置されたときに、底面パネル２８が容器２４の他のパネルの下方なり、これから分配されるフェイスマスクの領域が開口部２６を通じて自然に下垂し、使用者によって容易に視認され、その１つのフェイスマスクを分配したいときに使用者が把持するために利用可能になるように構成される。
【００１０】
フェイスマスクスタック２２（図１）で有用なフェイスマスク４０の一実施形態を図２に示す。フェイスマスク４０は、弾性シート４２と、任意のフィルタリングウェブ４４とを含む。一般には、弾性シート４２は、着用者の口、及び鼻の少なくとも一部を包囲するようなやり方で使用者に締結されるように構成される。フィルタリングウェブ４４は、弾性シート４２に接着される。一旦フェイスマスク４０が使用者に締結されると、フィルタリングウェブ４４が使用者への及び使用者からの、空気の流れをろ過する。
【００１１】
弾性シート４２は、中央部５０と、中央部５０を挟んでその両側にそれぞれ位置する第１及び第２の横方向端部５２、５４を概ね画定する細長い形状を有する。いくつかの実施形態では、中央部５０は、横断方向Ｔにフェイスマスク４０の全長の最高約５０％又は６０％までの、典型的には少なくとも約３０％又は３５％の、横断方向Ｔの長さを有し得る。中央部５０は、人の鼻の少なくとも一部及び口の上を覆うように着用するように構成され、第１及び横方向の端部５２、５４のそれぞれは、人の耳との係合を可能にするようなやり方で、人の顔の両側に沿って少なくとも部分的に延在するように構成される。図示される実施形態では、第１の横方向端部５２は、人の顔の左側の周囲に延在するように構成され得、第２の横方向端部５４は、人の顔の右側の周囲に延在するように構成され得る。いくつかの実施形態では、第１の横方向端部５２は、人の耳に係合するように使用され得る開口６０を形成し、第２の横方向端部５４は、人のもう一方の耳に係合するための開口６２を有する。他の実施形態では、型抜き部材が開口６０及び６２の代わりに使用され得、型抜き部材の型抜き部分は、取り除かれて、それぞれ対応する開口を形成することができる。
【００１２】
参考までに、いくつかの実施形態では、中央部５０及び第１及び第２の横方向端部５２、５４は、単一の構造物として同一の材料から形成される。換言すれば、中央部５０並びに第１及び第２の横方向端部５２、５４は、後に一緒に結合される３つの別々の小片として形成されない。むしろ、中央部５０及び第１並びに第２の横方向端部５２、５４は、連続した均一の構造物を形成する。したがって、中央部５０を独立した構造物として弾性シート４２に明確に区切ることはできず、フィルタリングウェブ４４の接着は、中央部５０の領域を実際上画定するものとして見られ得る。例えば、図２は、接着線６４で弾性シート４２に接着されているフィルタリングウェブ４４を反映しており、接着線６４は、中央部５０の周辺を実際上確立している。また、本開示に従う及び／又は本開示に従い作製されたフェイスマスクは、着用されない時、典型的には、平坦な（すなわち、平面）形状を有する。用語「平坦」は、複数の部分の任意の部分が弾性シート４２により画定される平面に実質的に平行である（すなわち、平行から１０度、７．５度、又は５度の範囲内である）ことを意味する。用語「平坦」はまた、本明細書に開示されるフェイスマスクが、全体としてのフェイスマスクを屈曲された又は永久的に湾曲された折り畳まれた位置に促すための手段（例えば、シール、継ぎ目、又は接着部）を有さないことも意味する。
【００１３】
弾性シート４２、及びしたがってフェイスマスク４０の周辺Ｐは、下縁７０と、上の縁７２と、対向する第１の側縁７４及び第２の側縁７６とを概ね画定するものとして図示され得る。弾性シート４２の細長い形は、上述の横断方向Ｔ及び長手方向Ｌを画定する。横断方向Ｔは、中央部５０から横方向端部５２、５４が延長する共通の方向と等しく、長手方向Ｌは横断方向Ｔに垂直である。いくつかの実施形態では、長手方向Ｌは、フェイスマスク４０の製造中の弾性シート４２の機械方向に相当する。これらの定義を踏まえて、周辺Ｐの下縁７０は、中央部５０と横方向端部５２、５４との集合によって画定されており、弾性シート４２の中心線から、対応する側縁７４、７６に向かって延び、上縁７２に向かって連続に延在することを特徴とすることができる。いくつかの実施形態では、上縁７２もまた、中央部５０及び横方向端部５２、５４によって又はそれらに沿って、集合的に画定される。上縁７２は、中央部５０に沿って中心線から対応する側縁７４、７６に向かう延長部において、下縁７０に向かって湾曲を描くことができ（例えば、所望により突出部７８が上縁７２に形成される）、対応する横方向端部５２、５４に沿った上縁７２の少なくとも一区間は、対応する側縁７４、７６に向かう延長部において、下縁７０から離れる方向に延びる。この形状を用い、使用者は、着用者の顎の近くに下縁７０を配向し、上縁７２を着用者の鼻の根元の近くに配向するようにして着用者の顔にフェイスマスク４０を締結することが容易に理解できるであろう。あるいは、周辺Ｐは、使用者に特定の着用配向を伝えてもよく伝えなくてもよい様々な形状を取ることができる。
【００１４】
弾性シート４２は、本開示によるフェイスマスクを容器から容易に分配することを可能にする柔らかい可撓性の１つ以上の材料で作製される。弾性シート４２は弾力的な材料であり、したがって、弾性シート４２を変形すること又は引き裂くことなく、対応する横方向端部５２、５４をディスペンサーから引くことができる。弾性シート４２の弾力的で可撓性の属性は、以下に説明するように、フェイスマスク４０を永久的に縮ませること又は皺にすることなく折り畳むことを更に可能にする。
【００１５】
弾性シート４２は、中央部５０及び／又は横方向端部５２、５４を含む弾性シート４２の一部又は全部にかけて実現され得る小孔（図示せず）を所望により含む。弾性シート４２は、ある程度の有孔率を典型的には有する弾性の不織布材料で形成することができるが、これらの任意の小孔は意図的に弾性シート４２に付与されてよく、約０．５ｍｍ〜約１．５ｍｍの範囲の直径を有し得る。小孔は、例えば、フェイスマスク４０の通気性、伸長、又は快適性のうちの少なくとも１つを向上させるのに有用であり得る。例えば、暑い及び／又は湿った環境でフェイスマスク４０を着用した場合、弾性シート４２で実現されている小孔が空気の通過を可能にして、快適性を改善することができる。第１及び第２の横方向端部５２、５４の小孔、ないしは別の方法で中央部５０から離間配置された小孔は、通気性、伸長、又は快適性に対する要求並びに着用者の鼻及び口の周囲のフェイスマスク４０の良好な密着性に対する要求のバランスをとることができる。他の実施形態では、小孔は省かれてもよい。
【００１６】
弾性シート４２は、白以外の色を有してもよく、又は、複数色の模様を有してもよい。他の実施形態では、弾性シート４２に図を付与することができる。「図」という用語は、フェイスマスク４０上に見える任意のデザイン、形状、模様、又は絵を意味し、具体的には、テキスト（例えば、１つ以上の英数字符号を含む）、１つ以上の絵を含む画像、及びそれらの組み合わせを含む。色模様及び／又は図は、例えば、着用者が子供の場合、着用者に楽しみを実現することができる。
【００１７】
弾性シート４２は、１つ以上の方向に延伸するように構成される。いくつかの実施形態では、弾性シート４２は、少なくとも５（いくつかの実施形態では、少なくとも１０、２５、４０、５０、７５、又は１００）％、及び少なくとも一方向に、約１５０、２００、２５０、３００、３５０、又は５００％までの伸長を有する。延伸倍率に関する伸長は、［（伸長した長さ−初期の長さ）／初期の長さ］を１００で掛ける。例えば、初期の長さが１ｃｍの材料が０．５０ｃｍ伸張した、つまり延伸長が１．５０ｃｍになる場合、材料は、５０％の伸長を有すると考えることができる。いくつかの実施形態では、弾性シート４２は、横断方向Ｔ及び長手方向Ｌの両方に延伸し得る。いくつかの実施形態では、中央部分５０及び横方向端部５２、５４の全てが１つ以上の方向に延伸することができる。弾性シート４２が横断方向Ｔ又は長手方向Ｌのうちの少なくとも一方向に延伸する能力は、典型的には、着用者の顔をより完全に覆うことを可能にし、潜在的な使用者の種々の大きさの顔への順応に、より大きな可撓性を実現する。特に、中央部分５０における水平方向及び縦方向の延伸は、典型的には、顔へのより良い適合を可能にする。
【００１８】
弾性シート４２は、延伸からの回復もまた示す。回復は、付勢力の付加により材料の伸張後、付勢力が停止した時の伸張した材料の収縮を指す。例えば、弛緩した付勢されてない長さが１ｃｍの材料が、伸張により５０％伸長して１．５ｃｍの長さになり、続いて、伸張力の解除後に１．１ｃｍの長さに収縮する場合、その材料は、その伸長の８０％（０．４ｃｍ）を回復したことになる。弾性シート４２は、例えば、少なくとも２５、５０、６０、７０、７５、又は８０％の回復率を有することができる。
【００１９】
いくつかの実施形態では、中央部分５０の異なる区間は、同じ方向に異なる伸長を有することができる。例えば、中央部５０に沿った上縁７０及び下縁７２で、伸長は、横断方向Ｔに、５（いくつかの実施形態では、４、３、２、又は１）％までであってもよく、一方、上縁７０と下縁７２との間では、伸長は、横断方向Ｔに、５より大きく、１５（いくつかの実施形態では、１４、１３、１２、１１、又は１０）％までであってもよい。他の実施形態では、中央部５０に沿った上縁７０及び下縁７２で、伸長は、横断方向Ｔに、５（いくつかの実施形態では、４、３、２、又は１）％までであってもよく、一方、上縁７０と下縁７２との間では、伸長は、横断方向Ｔに、少なくとも７０（いくつかの実施形態では、少なくとも７５、８０又は８５）％であってもよい。下縁７０及び上縁７２でのより低い伸長は、例えば、使用者の顔に対する良好な密着性を実現するために有用であり得る。いくつかの実施形態では、中央部５０は、横断方向Ｔにおいて１０％未満（いくつかの実施形態では、７．５、５、２．５、又は１％まで）の伸長を有する。いくつかの実施形態では、第１の横方向端部５２及び第２の横方向端部５４は、それぞれ、少なくとも１５（いくつかの実施形態では、少なくとも２０、２５、３０、４０、５０、７５、９０、又は１００）％、及び長手方向Ｌ又は横断方向Ｔのうちの少なくとも一方向に、約５００（いくつかの実施形態では、３５０、３００、２５０、又は２００）％までの伸長を有する。中央部５０における伸長量は、例えば、材料の選択、フィルタリングウェブ４４と中央部５０との付着の範囲、及びフィルタリングウェブ４４で実現される他の特徴によって、制御することができる。中央部５０の伸長を制限することにより、より良い濾過特性を可能にすることができる。
【００２０】
種々の材料を弾性シート４２に採用し得る。例えば、いくつかの構成体においては、弾性シート４２は弾性不織布ウェブである。いくつかの実施形態では、弾性不織布ウェブ又はその一部分は、スパンボンド、メルトブローン、又はスパンレース不織布を含む。「スパンボンド」という用語は、押し出されるフィラメントの直径を有する、複数の微細で、通常は円形の紡糸口金のキャピラリーから、溶融した熱可塑性材料をフィラメントとして押し出し、その後急激に繊維に縮小させることにより形成される小径繊維を指す。スパンボンド繊維は一般に連続しており、一般的に約７ミクロンより大きい、より具体的には約１０〜２０ミクロンの直径を有する。「メルトブローン」という用語は、溶融熱可塑性材料を溶融糸又はフィラメントとして、複数の微細で通常は円形のダイキャピラリーを通して収束高速で通常は高温のガス（例えば空気）流中に押し出すことにより形成される繊維を指し、この収束高速ガス流は、溶融熱可塑性材料のフィラメントを減衰して、おそらく超極細繊維の直径にそれらの直径を低減する。その後、高速ガス流によって、メルトブローン繊維は移動され、収集面上に堆積し、無作為に分散されたメルトブローン繊維のウェブを形成する。メルトブローン繊維は、一般に、概ね１０マイクロメートル未満の直径を有する、連続的又は不連続であり得るマイクロファイバである。スパンレースは、高速水噴流を使用してウェブを打って、ウェブの繊維を混ぜ合わす。スパンレースは、水流交絡としても知られており、例えば毛羽立てられたウェブ及びエアレイドウェブを使用して作製される、繊維状のウェブ上で実施され得る。
【００２１】
弾性不織布ウェブ又はその一部分（例えば、弾性シート４２）を作製するための代表的な有用な材料としては、ＡＢＡブロックコポリマー等の熱可塑性エラストマー、ポリウレタンエラストマー、ポリオレフィンエラストマー（例えば、メタロセンポリオレフィンエラストマー）、ポリアミドエラストマー、エチレンビニルアセテートエラストマー、及びポリエステルエラストマーが挙げられる。ＡＢＡブロックコポリマーエラストマーは、概して、Ａブロックがポリスチレン系であり、かつＢブロックが共役ジエン（例えば、低級アルキレンジエン）であるエラストマーである。Ａブロックは、主に置換（例えば、アルキル化）若しくは非置換スチレン系部分（例えば、ポリスチレン、ポリ（アルファメチルスチレン）、又はポリ（ｔ−ブチルスチレン））から概して形成され、１モル当たり約４，０００〜５０，０００グラムの平均分子量を有する。Ｂブロックは、主に置換又は非置換であり得る共役ジエン（例えば、イソプレン、１，３−ブタジエン、又はエチレン−ブチレン単量体）から概して形成され、１モル当たり約５，０００〜５００，０００グラムの平均分子量を有する。Ａ及びＢブロックは、例えば、線状、放射状、又は星形構成で構成されてもよい。ＡＢＡブロックコポリマーは、複数のＡ及び／又はＢブロックを含有してもよく、ブロックは同一の又は異なる単量体から作製されてもよい。典型的なブロックコポリマーは、線状ＡＢＡブロックコポリマーであり、Ａブロックは同一であるか若しくは異なるか、又はＡブロックで主に終端する、３つ以上のブロックを有するブロックコポリマーであってもよい。マルチブロックコポリマーは、例えば、より粘着性のあるエラストマーフィルムセグメントを形成する傾向がある、ある特定の割合のＡＢジブロックコポリマーを含有してもよい。いくつかの実施形態では、本開示を実践するために有用な弾性不織布シートは、種々の有用な材料（例えば、ポリプロピレン、ポリプロピレン−ポリエチレンコポリマー、及び熱可塑性ポリウレタン）から作製される。いくつかの実施形態では、弾性不織布ウェブは、例えば、多成分（例えば、コア−シース等の二成分）繊維から作製される。いくつかの実施形態では、弾性不織布ウェブは、層における異なる材料（例えば、上述の材料）の多層積層体である。例えば、弾性不織布ウェブは、メルトブローン繊維の層を、２つのスパンボンド繊維の層の間に含むことができる。
【００２２】
材料は、弾性不織布部分又はシートについて、例えば、それらが皮膚に対してどのように感じるかにより選択され得る。弾性不織布シートは、皮膚に対して柔軟な手触りの材料から作製され得る。弾性不織布シートは、それらが動かないように、ゴムのような手触りを有する材料からも作製され得る。
【００２３】
弾性不織布シートを作製するのに有用ないくつかの材料は、例えば、商品名「ＶＩＳＴＡＭＡＸＸ」として、ＥｘｘｏｎＭｏｂｉｌ，Ｈｏｕｓｔｏｎ，Ｔｅｘａｓから市販されているポリオレフィン、及び商品名「ＩＲＯＧＲＡＮ」として、Ｗｏｏｄｌａｎｄｓ，Ｔｅｘａｓから市販されている熱可塑性ポリウレタンエラストマーがある。いくつかの実施形態では、弾性不織布シートは、マトリックス不織布材料を含む。いくつかの実施形態では、弾性不織布シートは、商品名「ＳＴＲＡＦＬＥＸ」として、Ｉｄｅｍｉｔｓｕ  Ｋｏｓａｎ  Ｃｏ．，Ｌｔｄ．，Ｔｏｋｙｏ，Ｊａｐａｎから入手可能なスパンボンド不織布を含む。他の実施形態では、弾性シート４２は、スチレン系ブロックコポリマーコア材料とシース材料とを使用した二構成要素の弾性不織布ウェブである。例えば、Ｋｒａｔｏｎ  Ｐｏｌｙｍｅｒｓ  ＬＬＣ，  Ｈｏｕｓｔｏｎ，  Ｔｅｘａｓより、（Ｇ１６４３、ＭＤ６７０５、又はＭＤ６７１７の商品名で）スチレン系ブロックコポリマーコアとポリプロピレンシースとの二構成要素の弾性不織布ウェブが入手可能である。コア：シースの比は、例えば８５：１５又は８０：２０であり得る。
【００２４】
フィルタリングウェブ４４は、以下により詳細に述べるように、中央部５０に接着される。本明細書で述べる、フィルタリングウェブ４４に関しての用語「フィルタリング」は、フェイスマスク着用者からの呼気の一部分、又はフェイスマスク着用者によって引き起こされる吸気の一部分を分離する、又は取り除く工程を指す。フィルタリングウェブ４４は、典型的には、病原性微生物の着用者への又は着用者からの透過に対する障壁を実現する工程、アレルギー物質（例えば、花粉）を捕捉する工程、微粒子を捕捉する工程、悪臭を捕捉する若しくは遮蔽する工程、液体を捕捉する若しくは液体に対する障壁を実現する工程、冷気を取り除く工程（すなわち、断熱を実現する）、又はウイルス若しくは細菌汚染を減少させる工程のうちの少なくとも１つを可能にする。
【００２５】
図２及び３に示すように、フィルタリングウェブ４４は、所望により少なくとも１つのひだ８０を形成する。いくつかの実施形態では、図３に示すように、ひだ８０は、フィルタリングウェブ４４材料をそれ自体の上に１回折り畳んでからそれ自体の上にもう一度折り畳むことによって作られる平坦なひだである。図３でひだ８０は単一のひだとして示されているが、本開示のフェイスマスクに二重のひだ又は他の複数のひだを使用してもよい。二重ひだについて、上述の折り畳みパターンは、通常、同じ折り畳み方向で２回繰り返される。複数のひだについて、この折り畳みパターンは、通常、複数回繰り返される。平坦ひだ加工された材料において、ひだ加工された材料の大部分は、弾性シート４２によって画定された平面に実質的に平行（すなわち、平行から１０、７．５、又は５度内）である。図３に示される平坦なひだは、本明細書に開示されるフェイスマスクのコンパクトな積み重ねを可能にするのに有用である。図２に示すひだ８０は、長手方向Ｌに実質的に平行（すなわち平行から１０度までの範囲内）に延在するように構成されたものとして示されており、したがって、縦ひだと呼ばれる場合がある（すなわち、フェイスマスク４０を使用者が着用し、使用者が直立であるときに、ひだ８０は縦の配向を有する）。単一の縦ひだ８０が図示されているが、他の実施形態では、２つ以上の縦ひだが実現され得る。あるいは、又は加えて、フィルタリングウェブ４４は１つ以上の横ひだを形成する又は含むことができる。
【００２６】
フィルタリングウェブ４４を作製するために種々の材料が有用である。いくつかの実施形態では、フィルタリングウェブ４４は不織布材料（例えば、ポリプロピレン不織布材料）である。あるいは、フィルタリングウェブ４４は、微細複製有孔フィルムであり得る。フィルタリングウェブ４４はまた、不織布材料又は微細複製有孔フィルムの多層を含むこともできる。いくつかの実施形態では、フィルタリングウェブ４４は帯電される。帯電濾過媒体は、典型的には、その電荷のお蔭でフィルタに向かって濾過されるように粒子を引き付けることにより、濾過の性能を増加させる。いくつかの実施形態では、フィルタリングウェブ４４はエレクトレットである。エレクトレット処置は多くの技法（例えば、それらの開示の全てが参照により本明細書に援用される米国特許第５，４０１，４４６号、同第４，２１５，８６２号、同第４，３７５，７１８号、同第４，５９２，８１５号、同第４，８７４，６５９号に記載されているもの）により実行可能である。いくつかの実施形態では、フィルタリングウェブ４４は、少なくとも９９（いくつかの実施形態では、９８、９７、９６、又は９５）％のフィルタ効率を有する。
【００２７】
いくつかの実施形態では、フィルタリングウェブ４４は、例えば、不快な臭気から着用者を保護すること、断熱、ウイルス、細菌、真菌からの保護、及び／又は液体バリアなどの１つ以上の追加の性能属性を実現するように構成することができる（又は、追加の材料をフィルタリングウェブ４４に関連づけることができる）。
【００２８】
フェイスマスク４０がフィルタリングウェブ４４を含む実施形態では、１つ以上の任意の切り込み（図示せず）を弾性シート４２に形成することができる。用語「切り込み」は、材料を除去せずに弾性シート４２を切ること（すなわちスリット）、及び材料を除去するように弾性シート４２を切ること（すなわち穴）を含むことを意図する。いくつかの構成体では、切り込みは、それを通じた使用者の口及び鼻の一部の挿入を可能にするように構成され、したがって、フィルタリングウェブ４４が使用者の口及び鼻の一部の周囲にチャンバを確立する（すなわち、フェイスマスク４０は、弾性シート４２が使用者に面し、フィルタリングウェブ４４が使用者の顔と反対に向けられるように着用されるように意図される）。他の実施形態では、切り込みは、マスクが着用されたときにそれを通じてひだ８０が延びることを可能にし得る（すなわち、フェイスマスク４０は、フィルタリングウェブ４４が使用者に面するように着用されるように意図される）。また別の実施形態では、切り込みは省かれる。
【００２９】
実現される場合、フィルタリングウェブ４４は周辺の接着線６４に沿って弾性シートの表面に直接又は間接のいずれかで接着される。図のように、周辺の接着線６４は連続している場合があり、フィルタリングウェブ４４の形状及び輪郭を追従することができるが、他の構成においては、様々な場所でフィルタリングウェブ４４の縁からずれている場合がある。いずれにせよ、周辺の接着線６４は、中央部５０と第１の横方向端部５２との間で長手方向Ｌに延在する第１区間８２、及び中央部５０と第２の横方向端部５４との間で長手方向Ｌに延在する第２区間８４を画定し得る。
【００３０】
いくつかの構成体においては、周辺の接着線６４は超音波で形成される接着である。あるいは、接着剤、ホットメルト、熱ニードルパンチ等の他の接着形式もまた許容可能である。フィルタリングウェブ４４は弾性シート４２上に直接に接着されてもよく、又は、１つ以上の追加の層又は材料がフィルタリングウェブ４４と弾性シート４２との間に配設されてもよい（したがって、フィルタリングウェブ４４は弾性シート４２に間接的に付着される）。
【００３１】
再び図１を参照すると、スタック２２内のフェイスマスク４０のそれぞれは個々に折り畳まれている。図４Ａ〜４Ｃは、本開示により想定される１つの折り畳み手法を図示している。図４Ａの平坦な折り畳まれていない状態から始めて、図４Ｂに示すように、第１の横方向端部５２が中央部５０の第１面９０の上に折り畳まれる（図４Ａ〜４Ｃの視点では、中央部の第１面９０は任意のフィルタリングウェブ４４によって「カバーされている」ことが理解される）。第１の接着線区間８２（ないしは別の方法で中央部５０と第１の横方向端部５２とを区切っている部分）は、その折り畳みのための自然な場所としての役割を果たす。いずれにせよ、第１の横方向端部５２の少なくとも一部分が中央部５０の第１面９０に沿って延在するように、第１の折線９２が画定される。例えば、第１の横方向端部５２の表面積の少なくとも５０、６０、７０、又は８０％が、中央部５０の第１面９０を「カバーする」ように延在する（すなわち、弾性シート４２又は弾性シート４２に付着されたフィルタリングウェブ４４の中央部５０に直接接触する）。いくつかの実施形態では、第１の横方向端部５２の横断方向の長さ（例えば、第１の接着線区間８２と第１の側縁７４との間の横断方向Ｔの距離）は、中央部５０の横断方向の長さより短い。この（及び他の）構成で、第１の折線９２で第１の横方向端部５２を折り畳んだ後、第１の側縁７４は中央部５０の面積「内」の場所で終端する。換言すると、この折り畳まれた状態において、第１の側縁７４は第１の接着線区間８２と第２の接着線区間８４との間にある。いくつかの実施形態では、上縁７２は、図４Ｂの折り畳まれた状態において第１の横方向端部５２に沿った上縁７２が、図のように、中央部５０に沿った上縁７２（例えば突出部７８）の部分からずれている又は「下方」になるような形状である。
【００３２】
第２の横方向端部５４は、図４Ｃに示すように、中央部５０に対して同じように折り畳まれるが、第２の横方向端部５４の少なくとも一部分は、反対側の、中央部５０の第２面９４の上に延在するように配置される。参考までに、折り畳まれた第２の横方向端部５４は、図４Ｃの視点ではほとんどが隠れているが、図５の側面図には、折り畳まれた第２の横方向端部５４、並びに中央部５０の第２面９４が図示されている。第２の折線９６は、確立され、第２の接着線区間８４に自然に形成され得る。
【００３３】
図５の最終的な折り畳まれた状態において（任意のフィルタリングウェブ４４（図４Ａ）は、図解を容易にするために、図５の観点では省かれている）、第２の横方向端部５４の第２の側縁７６、並びに第１の横方向端部５２の第１の側縁７４は、中央部５０の面積内に配置される。弾性シート４２（並びにフェイスマスク４０の他の材料）の弾力的で可撓性の構造のために、折線９２、９６は、永久の皺にならない。むしろ、横方向端部５２、５４は、図５の折り畳まれた状態から容易に開かれる。説明を容易にするために、図４Ｃ及び５の最終的な折り畳まれた状態を、折り畳まれたフェイスマスク４０−Ｆと呼ぶ。
【００３４】
フェイスマスクスタック２２の一実施形態が、より詳細に図６Ａに示されている。スタック２２を構成する折り畳まれたフェイスマスク４０−Ｆは、（上述のように）同じやり方で折り畳まれて、互いの上に積み重ねられる。いくつかの実施形態において、個々の折り畳まれたフェイスマスク４０−Ｆは、互いに織り込まれない。例えば、最下位の折り畳まれたフェイスマスク４０ｂ−Ｆ及びそのすぐ次の折り畳まれたフェイスマスク４０ｉ−Ｆに関して、最下位の折り畳まれたフェイスマスク４０ｂ−Ｆの第２の横方向端部５４は、第１の横方向端部５２と、すぐ次の折り畳まれたフェイスマスク４０ｉ−Ｆの中央部５０との間に配置されない。図６Ａは、いくつかの実施形態において、スタック２２内の折り畳まれたフェイスマスク４０−Ｆのそれぞれが同じやり方で配置されることを更に図示している（すなわち、図６Ａの配向に関して、それぞれの折り畳まれたフェイスマスク４０−Ｆの折り畳まれた第１の横方向端部５２は、対応する第２の横方向端部５４の「下方」にあり、右手側に位置づけられている）。あるいは、スタック２２内の折り畳まれたフェイスマスク４０−Ｆは、例えば図６Ｂに示すように、互いに異なる関係を有することができる。より具体的には、図６Ｂの配向に関して、最下位の折り畳まれたフェイスマスク４０ｂ−Ｆは、折り畳まれた第１の横方向端部５２が、対応する中央部５０の下方になり、第１の折線９２がスタック２２の左手側になるように配置される。そのすぐ次の折り畳まれたフェイスマスク４０ｉ−Ｆは、第１の横方向端部５２が、最下位の折り畳まれたフェイスマスク４０ｂ−Ｆの第２の横方向端部５４の上方にあり、すぐ次の折り畳まれたフェイスマスク４０ｉ−Ｆの第１の折線９２がスタック２２の右手側にあるように配置される。スタック２２内の残りの折り畳まれたフェイスマスク４０−Ｆは、無作為の又はパターン化されたやり方のいずれかの配向で配置され得る。
【００３５】
図１に戻ると、容器２４は、概して、スタック２２を収容するための、及び、使用者が望んだときにフェイスマスク４０を１つずつ分配することを可能にするための、寸法及び形状を有する。容器２４は、様々な形状を有することができ、概して、底面パネル２８と、上面パネル１００（一般的参照による）と、底面パネル２８と上面パネル１００との間の複数の側面パネルと、を含む。いくつかの構成体においては、パネル２８、１００、１０２は、板紙、厚紙、又は同様の材料で形成され、互いに対して折られて、容器２４を完成する。あるいは、広範な種々のその他の材料も同等に使用可能である。例えば、パネル２８、１００、１０２の１つ以上をプラスチック材料で形成してもよい。パネル２８、１００、１０２のそれぞれは、完全な又は均一の体として図示されているが、他の実施形態においては、パネル２８、１００、１０２の１つ以上は、対応する完成したパネル２８、１００、１０２を画定するように互いに接続される２つ又はそれ以上の体で更に構成されてもよい（例えば、容器２４が板紙材料で形成される場合、容器２４は、種々のフラップが折られて互いに連結又は接着される平坦な板紙から組み立ててもよい）。更に他の実施形態では、パネル２８、１００、１０２の１つ以上は、永久的に互いに接続されなくてもよい（例えば、底面パネル２８と側面パネル１０２を第１の体から形成し、次に別個に形成された上面パネル１００を側面パネル１０２と組み立ててもよい）。容器の構成に関わらず、容器２４は、以下に記述するように、フェイスマスクスタック２２を受容及び包含する寸法及び形状を有する内容積１１０を画定する。
【００３６】
参考までに、用語「底面パネル」及び「上面パネル」は、システム２０の使用中の容器２４に意図された配向を基準としている。すなわち、意図された空間的配向において、底面パネル２８は上面パネル１００の「下方」になり、個々のフェイスマスクは底面パネル２８を通して分配される。これを想定して、底面パネル２８は、図７Ａに示すように切断線１２０を形成する。切断線１２０は、いくつかの実施形態においては、底面パネル２８の厚さを貫通する穿孔線であり、フラップ１２２の周辺を画定する。切断線１２０は、不連続であり得、両端１２４ａ、１２４ｂで終端する。この構成体の結果として、フラップ１２２を底面パネル２８の残りの部分から部分的に取り外す又は引き出すことを可能にする一方で、フラップ２２を、切断線の端１２４ａ、１２４ｂの間の理論的接続線１２６（一般的な基準による）に沿って底面パネル２８の残りの部分と接続したまま保持する。他の実施形態では、切断線１２０は連続であってもよく、その結果、フラップ１２２は、底面パネル２８の残りの部分から完全に取り外すことができる。
【００３７】
上述の切断線１２０／フラップ１２２の構成は、容器２４の閉じた状態及び開いた状態を確立する機能を果たす。図７Ａの閉じた状態において、フラップ１２２は、切断線１２０に沿って底面パネル２８の残りの部分と連続している。図７Ｂの開いた状態において、フラップ１２２の一部は、底面パネル２８の残りの部分から離れる方向に（例えば、旋回した又は引かれた）取り外されている。例えば、フラップ１２２は、仮定的な接続線１２６の反対側の先端１２８を有するように画定され得る。容器２４を閉じた状態から開いた状態に移行する工程は、底面パネル２８の残りの部分から先端１２８を引く工程を伴い、フラップ１２２は、接続線１２６に沿って底面パネル２８の残りの部分に対して実際上「旋回する」。使用者がフラップ１２２を閉じた状態から開いた状態に移行させるのを助けるつまみ部１３０を所望により先端１２８に沿って画定する（例えば、取り外しの前に、フラップ１２２は切断線１２０の穿孔に沿って底面パネル２８の残りの部分と断続的に接続されており、その断続的接続を破壊するために、つまみ部１３０を押圧し、次に把持し、底面パネル２８の残りの部分からフラップ１２２を更に離すように引き裂くことができる）。いずれにせよ、開いた状態において、底面パネル２８を通じて容器２４の内容積１１０に通じる開口部２６が確立される。
【００３８】
フラップ１２２が接続線１２６で底面パネル２８の残りの部分と接続したままであるかどうかに関わらず、開口部２６は、切断線１２０及び接続線１２６により実際上画定される周辺を有し、対向する第１及び第２の端縁１４０、１４２と、対向する第１及び第２の側縁１４４、１４６とを有するものとして図示され得る。参考までに、第１の端縁１４０は接続線１２６に対応し、一方、第２の端縁１４２はフラップ１２２の先端１２８に対応する。縁１４０〜１４６は、種々の形状をとることができ、直線形又は湾曲若しくは曲線形であり得る。
【００３９】
開口部２６、底面パネル２８、及び折り畳まれたフェイスマスク４０−Ｆ（図４Ｃ）の寸法及び形状は、開口部２６を通じた個々のフェイスマスク４０−Ｆの分配を可能にする一方で残りのフェイスマスクスタック２２を常に支持及び保持することを可能にするようなやり方で、互いに関係づけられる。これに関して、図８Ａは、容器２４内に配設されたフェイスマスクスタック２２を示しており、容器２４は直立の配向である（すなわち、底面パネル２８は、上面パネル１００の下方にある）。本明細書に開示されるフェイスマスクスタック２２のいずれの実施形態においても、スタック２２中の個々の折り畳まれたフェイスマスク４０−Ｆの数は制限されず、例えば、少なくとも１０、２０、３０、４０、又は５０であり得、かつ例えば、３００、２５０、２００、又は１００までであり得る。いずれにせよ、スタック２２中の最下位の折り畳まれたフェイスマスク４０ｂ−Ｆは、底面パネル２８の内面１５０に当接又は隣接して位置づけられる。スタック２２の残りの折り畳まれたフェイスマスク４０−Ｆは、最下位の折り畳まれたフェイスマスク４０ｂ−Ｆの上に連続に配置され、そのようにして、スタック２２は底面パネル２８により支持される。図８Ａの容器２４の閉じた状態において、フラップ１２２は底面パネル２８の残りの部分と連続しているので、最下位の折り畳まれたフェイスマスク４０ｂ−Ｆは利用され得ず、全体が支持されている。図８Ｂ及び８Ｃの開いた状態では、今度は開口部２６が存在しており（例えば、フラップ１２２が少なくとも部分的に底面パネル２８の残りの部分から取り外されている）、最下位の折り畳まれたフェイスマスク４０ｂ−Ｆを利用することが可能である。参考までに、図８Ｃの（ないしは別の方法で、端の観点からシステム２０の断面を示す）視点では、図解を容易にするために、折り畳まれたフェイスマスク４０−Ｆの間にわずかな隙間が加えられている。開口部２６と整列している最下位の折り畳まれたフェイスマスク４０ｂ−Ｆの区域は、もはや底面パネル２８により支持されておらず、別の場所で説明されているように、最下位の折り畳まれたフェイスマスク４０ｂ−Ｆの分配を促進する。しかしながら、下方の寸法関係により、最下位の折り畳まれたフェイスマスク４０ｂ−Ｆ及びフェイスマスクスタック２２の残りの部分は、底面パネル２８により支持されたままである。
【００４０】
それらの関係をよりよく理解するために、図９では、折り畳まれたフェイスマスク４０−Ｆ、底面パネル２８、及び開口部２６の様々な寸法属性が指定されている。折り畳まれた状態において、折り畳まれたフェイスマスク４０−Ｆは、幅方向Ｗ、長さ方向ＬＴ、折り畳まれたフェイスマスクの最大幅ＦＷＭＡＸ、及び折り畳まれたフェイスマスクの最大長さＦＬＭＡＸを画定する。底面パネル２８もまた幅Ｗ及び長さ方向ＬＴ、並びに底面パネルの最大幅ＢＷＭＡＸ及び底面パネルの最大長さＢＬＭＡＸを画定しているのを図に見ることができる。開口部２６は、幅の方向Ｗ及び長さの方向ＬＴに関しては底面パネル２８に対応しており、開口部の最大幅ＯＷＭＡＸ及び開口部の最大長さＯＬＭＡＸを有する。これらの指定を想定して、折り畳まれたフェイスマスク４０−Ｆが底面パネル２８の上に配置されたときに、折り畳まれたフェイスマスク４０−Ｆの第１の横方向端部５２が開口部２６を通じて自由に延びることができる一方で、折り畳まれたフェイスマスク４０−Ｆの残りの部分が底面パネル２８により支持されたままになるように、折り畳まれたフェイスマスク４０−Ｆ、底面パネル２８、及び開口部２６の様々な最大の幅寸法及び長さ寸法を選択する。例えば、図１０に示すように、折り畳まれたフェイスマスク４０−Ｆは、幅方向Ｗ及び長さ方向ＬＴが一致し、第１の折線９２及び第２の折線９６が底面パネル２８に隣接し（図１０の視点では、折線９２、９６は底面パネル２８の「背後に」あるために見えていないことを理解されたい）、一方、第１の横方向端部５２の少なくとも一領域１５０が開口部２６と整列するように、底面パネル２８に対して配置される。したがって、第１の横方向端部５２の少なくともその領域１５０は、開口部２６を自由に通過することができるが、折り畳まれたフェイスマスク４０−Ｆの残りの部分は底面パネル２８により支持されたままである。図９を更に参照すると、折り畳まれたフェイスマスク４０−Ｆの最大幅ＦＷＭＡＸは開口部２６の最大幅ＯＷＭＡＸより大きいか、又は、折り畳まれたフェイスマスク４０−Ｆの最大長さＦＬＭＡＸは開口部２６の最大長さＯＬＭＡＸより大きいか、若しくは、それら両方である。他の実施形態では、開口部の最大幅ＯＷＭＡＸは、幅方向Ｗにおいて第１の横方向端部５２の寸法より小さい（したがって、開口部２６を通じて折り畳まれたフェイスマスク４０−Ｆを利用することができるが、第１の横方向端部５２は開口部２６を通じて下垂しない）。折り畳まれたフェイスマスク４０−Ｆが、第１の横方向端部５２が上述のように開口部２６と整列するように底面パネル２８に沿って一貫したやり方で位置づけられるように、開口部２６は底面パネル２８の表面積に対して実質的に中央に位置づけられ、開口部２６に対する折り畳まれたフェイスマスク４０−Ｆの「位置ずれ」を最小限にするように、底面パネル２８と折り畳まれたフェイスマスク４０−Ｆは実質的に同様の最大の長さ及び幅寸法を有する。したがって、いくつかの実施形態では、底面パネル２８の最大幅ＢＷＭＡＸは、折り畳まれたフェイスマスク４０−Ｆの最大幅ＦＷＭＡＸよりわずかに（例えば、１０％を超えない範囲で）大きく、底面パネル２８の最大長さＢＬＭＡＸは、折り畳まれたフェイスマスク４０−Ｆの最大長さＦＬＭＡＸよりわずかに（例えば、１０％を超えない範囲で）大きい。
【００４１】
図１１Ａに概ね反映されているシステム２０の分配モードにおいて、容器２４は直立位に保持される。例えば、支持構造体１６０（例えば、フレーム、１つ以上のストレッチリリース式接着テープストリップ等）が容器２４を壁１６２に接続し、容器を床１６４の上方に保持する。このようにすると、図のように、底面パネル２８は上面パネル１００の下方になり、床１６４に面する。分配モードは、底面パネル２８の残りの部分からフラップ１２２を少なくとも部分的に取り外す（すなわち、容器２４を開いた状態に移行させる）ことを更に伴う。フラップ１２２を少なくとも部分的に取り外すことにより、底面パネル２８の開口部２６が完成し、それにより、最下位の折り畳まれたフェイスマスク４０ｂ−Ｆの第１の横方向端部５２を露出する。重力により、第１の横方向端部５２の露出された領域１５０は開口部２６を通じて自然に下垂し、したがって、容器２４の外部から見える。しかしながら、最下位の折り畳まれたフェイスマスク４０ｂ−Ｆの残りの部分は容器２４に保持されている。最下位の折り畳まれたフェイスマスク４０ｂ−Ｆを分配しようとするとき、使用者は、外方に垂れ下がって露出されている第１の横方向端部５２の領域１５０を容易に視認し、その露出された領域１５０を単純に把持して引くことによって最下位の折り畳まれたフェイスマスク４０ｂ−Ｆを容器２４から取り出すことができることを直感的に理解する。開口部２６の寸法が、それを通じて第１の横方向端部５２が重力により下垂することを不可能にする寸法である代替実施形態では、エンドユーザーは開口部２６を通じて手を伸ばし入れ、最下位の折り畳まれたフェイスマスク４０ｂ−Ｆを把持して、分配を可能にする。これに関して、エンドユーザーの指は、スタック２２中の他のどのフェイスマスクにも触れない。最下位のフェイスマスク４０ｂ−Ｆが容器２４から一旦取り出されると、図１１Ｂに示すように、そのすぐ次の折り畳まれたフェイスマスク４０ｉ−Ｆが「移動」して、底面パネル２８と当接する。今度は、すぐ次の折り畳まれたフェイスマスク４０ｉ−Ｆの第１の横方向端部５２（又は第２の横方向端部５４）が開口部２６と直接に整列し、上述のように、少なくとも領域１５０が重力により開口部４０を通じて自然に下垂することにより利用可能となり、すぐ次の折り畳まれたフェイスマスク４０ｉ−Ｆの分配を可能にする。すぐ次の折り畳まれたフェイスマスク４０ｉ−Ｆの第１の横方向端部５２の領域１５０が開口部２６を通じて露出されていても、すぐ次の折り畳まれたフェイスマスク４０ｉ−Ｆの残りの部分は底面パネル２８と接触していることに、注意されたい。したがって、すぐ次の折り畳まれたフェイスマスク４０ｉ−Ｆ、ないしはすぐ次の折り畳まれたフェイスマスク４０ｉ−Ｆの「上方に」ある、スタック２２の残りの折り畳まれたフェイスマスク４０−Ｆは、容器２４により引き続き保持される。
【００４２】
上述のシステム２０は、有利なことに、フェイスマスクを容器２４から１つずつ取り出すことを可能にする。本明細書に開示したフェイスマスクを分配するための多様な形状が容器２４に有用であり得る。例えば、容器２４は、立方体、三角形、正方形、若しくは矩形のピラミッド、三角形、台形、若しくは矩形の角柱、円筒形、又は他の有用な形状であり得る。
【００４３】
フラップ１２２が開いた状態で底面パネル２８に接続されたままになる構成を用い、旋回したフラップ１２２が図のように壁１６２に近接するようにして容器２４を壁１６２に対して配置することができる。最下位の折り畳まれたフェイスマスク４０ｂ−Ｆは、対応する第１の横方向端部５２の露出される領域１５０が、延ばされたフラップ１２２の反対側の開口部２６から下垂するように、容器２４の中に配置され得る。あるいは、露出された領域１５０を、延ばされたフラップ１２２のすぐ横に隣接して位置づけるように、最下位の折り畳まれたフェイスマスク４０ｂ−Ｆを配置してもよい。いずれにせよ、所望により、フラップ１２２／底面パネル２８は、フラップ１２２が使用者によって閉じた位置に戻されるまで（少なくとも部分的に重力によって）開いた位置を自己保持するように構成される。
【００４４】
本開示の原理にしたがったフェイスマスクの包装及び分配システム２００の別の実施形態を図１２に示す。システム２００は、フェイスマスクスタック２０２とディスペンサーアセンブリ２０４とを含む。様々な構成要素の詳細を以下に記載する。しかしながら、広くは、ディスペンサーアセンブリ２０４は、容器２０６とコア１０８とを含む。フェイスマスクスタック２０２とコア２０８は、フェイスマスクスタック２０２がコア２０８の周囲に位置づけられる又は巻かれるように容器２０６内に配設される。スタック２０２からの個々のフェイスマスク４０は、容器２０６に選択的に形成された開口部２１０を介して容器２０６から分配すること又は取り出すことができ、コア２０８は、次に利用可能な１つのフェイスマスク４０の容易な把持を可能にするようなやり方で、開口部２１０に対するそれぞれのフェイスマスク４０の望ましい関係を維持する。
【００４５】
前記で暗示したように、フェイスマスクスタック２０２を構成する個々のフェイスマスク４０は、上述のものと同一のものであり得る。スタック２０２中のフェイスマスク４０のそれぞれは折り畳まれているが、図１２の実施形態では、異なる折り畳み構成が採用され得る。より具体的には、図１３に示すように、フェイスマスクスタック２０２に関連づけられるフェイスマスク４０のそれぞれ（図１２）は、第１の横方向端部５２が第１の折線９２で中央部５０の第１面９０の上に折り畳まれる単一の折りを有する。第２の横方向端部５４は、図のように、中央部５０に対して折り畳まれないままである。これまでの説明と一貫して、第１の接着線（ないしは別の方法で、中央部５０を第１の横方向端部５２から区切っている）区間８２は、折り目を作るための便利な場所としての機能を果たし、第１の横方向端部５２は、第１の折線９２から、第１の側縁７４まで、ないしは別の方法で中央部５０の区域内に位置づけられる場所まで、延在する。説明の容易さのために、下方において、図１３の折り畳み構成を、折り畳まれたフェイスマスク４０−Ｆ’と呼ぶ。
【００４６】
図１４を参照すると、折り畳まれたフェイスマスク４０−Ｆ’は、フェイスマスクスタック２０２内に同一のやり方で配置され得る。例えば、それぞれの折り畳まれたフェイスマスク４０−Ｆ’の第１の横方向端部５２は全て整列している（例えば、図１４の配向に関しては、折り畳まれた第１の横方向端部５２は全て右手側にある）。したがって、最上位の折り畳まれたフェイスマスク４０ｔ−Ｆ’の第１の横方向端部５２は、すぐ下の折り畳まれたフェイスマスク４０ｕ−Ｆ’の第１の横方向端部５２と整列している。残りの折り畳まれたフェイスマスク４０−Ｆ’も図のように同様に配置され得る。あるいは、フェイスマスクスタック２０２中の１つ以上の折り畳まれたフェイスマスク４０−Ｆ’を反対の配向で配置することができる（例えば、すぐ下の折り畳まれたフェイスマスク４０ｕ−Ｆ’の第２の横方向端部５４は、最上位の折り畳まれたフェイスマスク４０ｔ−Ｆ’の第１の横方向端部５２と整列することができる）。個々の折り畳まれたフェイスマスク４０−Ｆ’の配向に関わらず、折り畳まれたフェイスマスク４０−Ｆ’は、対応する第１の横方向端部５２が上方に面するように配置される（例えば、すぐ下の折り畳まれたフェイスマスク４０ｕ−Ｆ’の第１の横方向端部５２は、最上位の折り畳まれたフェイスマスク４０ｔ−Ｆ’に面する又は当接する）。これまでの実施形態と同じく、連続した折り畳まれたフェイスマスク４０−Ｆ’を互いに折り込む必要はない。
【００４７】
図１２を再び参照すると、容器２０６は、フェイスマスクスタック２０２及びコア２０８を維持する寸法の内容積２１２を画定する。いくつかの実施形態では、容器２０６は、第１〜第３の側面パネル２２０〜２２４（第３の側面パネル２２４は図１２の視点では隠れており、一般的参照による）と、第１及び第２の端パネル２２６、２２８（第２の端パネル２２８は図１２の視点では概ね隠れており、一般的参照による）とによって画定される三角柱の形状（例えば、正三角柱）である。パネル２２０〜２２８は、種々の材料（例えば、板紙、プラスチック等）で形成され得、隣接するパネル２２０〜２２８は均一に形成され得る。例えば、いくつかの実施形態では、容器２０６は、完成した容器２０６を形成するように折られる切断された板紙ブランクから形成される。あるいは、パネル２２０〜２２８の１つ以上を別個に形成してから互いに組み立ててもよい。他の実施形態では、パネル２２０〜２２８の１つ以上は、別個に形成されてから組み立てられる２つ（若しくはそれ以上）のパネルセクションによって画定される。いずれにせよ、内容積２１２の大きさは、コア２０８及びフェイスマスクスタック２０２ないしは少なくとも１０枚の折り畳まれたフェイスマスク４０−Ｆ’又は５００枚（若しくはそれ以上）の折り畳まれたフェイスマスク４０−Ｆ’から成るスタックを受容するために十分である。
【００４８】
いくつかの実施形態では、開口部２１０は、図１５Ａに示すように、第１の側面パネル２２０及び第２の側面パネル２２２に沿って延在する切断線２４２により画定されるフラップ２４０の取り外し（部分的又は完全な取り外し）によって作り出される。切断線２４２は様々な形状をとることができ、いくつかの実施形態では穿孔線である。図１５Ａの構成では、切断線２４０は不連続であり、したがって、フラップ２４０は仮定的な接続線２４４（一般的参照による）で容器２０６の残りの部分（例えば、第２の側面パネル２２２）に永久に接続されている。この構成体では、フラップ２４０は、フラップ２４０が切断線２４２で容器２０６の残りの部分と連続している図１５Ａの閉じた状態（例えば、切断線２４２は穿孔線であり、フラップ２４０は、閉じた状態においては、穿孔で容器２０６の残りの部分に断続的に接続されている）から、（フラップ２４０が、閉じた状態から開いた状態への移行において、切断線２４４で実際上旋回して）フラップ２４０の一部が容器２０６の残りの部分から取り外される又は引き出される、図１５Ｂに図示されている開いた状態に移行することができる。次いで、開いた状態において、フラップ２４０が開口部２１０から離れる方向に旋回した、第１及び第２の側面パネル２２０、２２２を貫通する開口部２１０が形成される。
【００４９】
図１２を再び参照すると、コア２０８は、容器２０６の形状と実質的に同じ形状を有するが、コア２０８は、より小さい大きさを有する。したがって、コア２０８は、第１〜第３の壁２５０〜２５４により画定されるように示される三角柱の形状を有することができる（図１２の視点では、第２の壁２５２及び第３の壁２５４は隠れており、一般的参照による）。図１６を参照すると、第１〜第３の壁２５０〜２５４の間の角度関係は、容器２０６の第１〜第３の側面パネル２２０〜２２４により確立される角度関係と実質的に同様である。したがって、例えば、第１の壁２５０と第２の壁２５２との間の角度βは、第１の側面パネル２２０と第２の側面パネル２２２との間の角度αと実質的に同様（例えば１０度以内）である。いくつかの実施形態において、側面パネル２２０〜２２４及び壁２５０〜２５４のそれぞれは正三角形を画定するが、他の形状もまた許容可能である。
【００５０】
コア２０８は、板紙、プラスチック等の種々の材料で形成され得る。コア２０８は中空であり得、端壁を含まなくてもよい。他の実施形態では、コア２０８は固体である。
【００５１】
図１７は、フェイスマスクスタック２０２及びコア２０８が装填された容器２０６を描いている。示されるように、フェイスマスクスタック２０２はコア２０８の周囲を緩く包む。いくつかの構成体では、折り畳まれたフェイスマスク４０−Ｆ’のそれぞれの折り畳まれた第１の横方向端部５２は互いに整列され、コア２０８の第１の壁２５０に背を向けているが隣接するように位置づけられる（例えば、最下位の折り畳まれたフェイスマスク４０ｂ−Ｆ’に関して、折り畳まれた第１の横方向端部５２は第１の壁２５０と整列しており、対応する、ないしは第１の横方向端部５２の「下」の、中央部５０は、第１の壁２５０と接触している）。それぞれの折り畳まれたフェイスマスク４０−Ｆ’の中央部５０は第２の壁２５２の周囲を包み、第２の横方向端部５４は第３の壁２５４の「下」に（図１７の配向に対して）緩く入れ込まれている。このようにして、この構成体では、それぞれの折り畳まれたフェイスマスク４０−Ｆ’の折り畳まれた第１の横方向端部５２は、容器２０６の第１の側面パネル２２０に「面する」。
【００５２】
容器２０６の閉じた状態（すなわち、フラップ２４２（図１５Ａ及び１５Ｂ）が切断線２４０に沿って容器２０６の残りの部分と接して連続している（図１５Ａ））において、開口部２１０（図１５Ｂ）は存在せず、フェイスマスクスタック２０２は容器２０６の内部に完全に包含されている。図１８に示すシステム２００の分配モードにおいて、フラップ２４２は第１のパネル２２０及び第２のパネル２２２から少なくとも部分的に取り外されて、開口部２１０を作り出す。コア２０８により支配されるフェイスマスクスタック２０２の配向のために、最上位のフェイスマスク４０ｔ−Ｆ’の第１の横方向端部５２は、開口部２１０と整列する又は開口部２１０で露出される。使用者は、露出された第１の横方向端部５２を（例えば、第１の側縁７４で）単純に把持し、最上位のフェイスマスク４０ｔ−Ｆ’を容器２０６から引く。最上位の折り畳まれたフェイスマスク４０ｔ−Ｆ’がいったん取り出されると、今度はすぐ下の折り畳まれたフェイスマスク４０ｕ−Ｆ’の第１の横方向端部５２が開口部２１０で露出され、把持されるように利用可能になる。コア２０８は、開口部２１０に対する個々の折り畳まれたフェイスマスク４０−Ｆの望ましい配向を分配動作中常に維持する機能を果たす。
【００５３】
本開示のフェイスマスク包装及び分配システムは、従前の設計に顕著に勝る改善を実現する。形状適合性の一体形成式のフェイスマスクは、単純に個々のフェイスマスクを折り畳み、次いで、折り畳まれたフェイスマスクを積み重ねることによって、容器内に容易に包装される。このシステムは、次に分配されるフェイスマスクを使用者が容易に認識し把持する分配モードに容易に移行される。
【００５４】
好ましい実施形態を参照しながら本発明を記載してきたが、当業者は、本発明の趣旨及び範囲から逸脱することなく、形態及び詳細の変更を行えることを認識するであろう。
【図１】
2015528423.tif 000003
【図２】
2015528423.tif 000004
【図３】
2015528423.tif 000005
【図４Ａ】
2015528423.tif 000006
【図４Ｂ】
2015528423.tif 000007
【図４Ｃ】
2015528423.tif 000008
【図５】
2015528423.tif 000009
【図６Ａ】
2015528423.tif 000010
【図６Ｂ】
2015528423.tif 000011
【図７Ａ】
2015528423.tif 000012
【図７Ｂ】
2015528423.tif 000013
【図８Ａ】
2015528423.tif 000014
【図８Ｂ】
2015528423.tif 000015
【図８Ｃ】
2015528423.tif 000016
【図９】
2015528423.tif 000017
【図１０】
2015528423.tif 000018
【図１１Ａ】
2015528423.tif 000019
【図１１Ｂ】
2015528423.tif 000020
【図１２】
2015528423.tif 000021
【図１３】
2015528423.tif 000022
【図１４】
2015528423.tif 000023
【図１５Ａ】
2015528423.tif 000024
【図１５Ｂ】
2015528423.tif 000025
【図１６】
2015528423.tif 000026
【図１７】
2015528423.tif 000027
【図１８】
2015528423.tif 000028
【国際調査報告】
2015528423.tif 000029
2015528423.tif 000030